(57)【要約】【課題】液晶表示部とアナログ表示部とを備えた車両用表示装置（メータ）において、デザインの自由度を向上させ、製造コストの低減を図る。【解決手段】液晶表示板１１の背面側に配設されたバックライト光源１５、１５・・・が出射する照明光を、液晶表示板１１を透過させて、液晶表示板１１の前面側に設けられた文字盤１６の透光表示部１６ａを照明するようにした。また、透光表示部１６ａと重複する偏光板１３、１４を液晶表示板から切り欠いて、前記照明光を、液晶表示板１１１を透過させて透光表示部１６ａを照明してもよい。更に、液晶表示板１１の周縁が透光表示部１６ａと重複する重複縁部を有するメータにおいては、液晶表示板１１の周縁に設けられた液晶保持部材のうち、前記重複縁部に対応する重複縁対応部を切り欠いた。また、該重複縁対応部を、透光部材で構成してもよい。【選択図】  図１
2004226111.tif 000002
【特許請求の範囲】
【請求項１】
液晶板と偏光板とを備えた液晶表示板と、
前記液晶表示板の背面側に配置されて照明光を出射するバックライト光源と、
前記液晶表示板の前面側に配置され、透光表示部を備えた文字盤と、を有し、
前記液晶表示板を露呈させる窓部が前記文字盤に設けられた車両用表示装置であって、
前記照明光を、前記液晶表示板を透過させて前記透光表示部を照明することを特徴とする車両用表示装置。
【請求項２】
前記液晶表示板から前記透光表示部と重複する前記偏光板を切り欠いたことを特徴とする請求項１に記載の車両用表示装置。
【請求項３】
前記液晶表示板は、前記透光表示部の背面の全体を覆うことを特徴とする請求項１又は請求項２に記載の車両用表示装置。
【請求項４】
前記液晶表示板の周縁は、前記透光表示部と重複する重複縁部を有し、
前記周縁に設けられて前記液晶表示板を位置決め保持する液晶保持部材のうち、前記重複縁部に対応する重複縁対応部を切り欠いたことを特徴とする請求項１又は請求項２に記載の車両用表示装置。
【請求項５】
前記液晶表示板の周縁は、前記透光表示部と重複する重複縁部を有し、
前記周縁に設けられて前記液晶表示板を位置決め保持する液晶保持部材のうち、前記重複縁部に対応する重複縁対応部を透光部材としたことを特徴とする請求項１又は請求項２に記載の車両用表示装置。
【発明の詳細な説明】
【０００１】
【発明の属する技術分野】
本発明は、液晶表示部とアナログ表示部とを備えた車両用表示装置（メータ）に関するものである。
【０００２】
【従来の技術】
従来から、この種のメータとして、図１１（ａ）に示すようなメータ１のようなものが知られている。
【０００３】
このメータ１は、目盛り部２ａを備えた文字盤２と、文字盤２の背面側に配置された液晶表示板３と、液晶表示板３の背面側に配置されたバックライト光源４と、を有している（例えば、特許文献１参照。）。
【０００４】
そして、メータ１では、環状の目盛り部２ａに囲まれた部分が開口して円形窓部２ｂを形成し、この円形窓部２ｂから液晶表示板３の液晶表示領域３ａを前面側に露呈させ、液晶表示ができるようになっている。
【０００５】
また、メータ１は、ムーブメント５ａにより駆動される指針５を有しており、この指針５が液晶表示板３の前面側を回動してアナログ表示ができるようになっている。
【０００６】
このようなメータ１では、量産され安価で流通している方形の液晶表示板３が採用され、製造コストの低減が図られている。
【０００７】
また、この種のメータの他のものとしては、図１２に示すようなメータ６も知られている。
【０００８】
このメータ６では、文字盤７が、目盛り部７ｂと文字部７ｃとを備えた透光表示部７ａと、透光表示部７ａと重ならない位置に設けられた小窓部７ｄと、を有している。
【０００９】
透光表示部７ａは、白色等の印刷により形成されており、透光可能となっている。
【００１０】
そして、文字盤７の背面側にはバックライト光源８、８・・・が設けられており、このバックライト光源８、８・・・の出射する照明光が、図示しない拡散板を介して透光表示部７ａを照明するようになっている。
【００１１】
更に、メータ６では、小窓部７ｄに対応する位置に、方形の液晶表示板９が設けられている。
【００１２】
そして、メータ５は、液晶表示板９の液晶表示領域９ａを小窓部７ｄから露呈させ、液晶表示ができるようになっている。
【００１３】
また、液晶表示板９は保持部材Ｈに保持されており、保持部材Ｈは、前面視で文字盤７と重複する部分に設けられ、小窓部７ｄから露呈しないようになっている。
【００１４】
【特許文献１】
特開平１１−２７１１００号公報（第６−８頁、図１）
【００１５】
【発明が解決しようとする課題】
しかしながら、従来のメータ１では、目盛り部２ａと重複する位置に液晶表示板３が配されており、液晶表示板３の背面側に設けられたバックライト光源４、４・・・が出射する照明光は液晶表示板３により遮られてしまう。
【００１６】
このため、メータ１では、図１１（ｂ）に示したように、別途に導光部材２ｃを設けて目盛り部２ａを視認させなければならず、部品点数が増加してしまうという問題があった。
【００１７】
更に、導光部材２ｃにより導くことのできる光量は限られてしまうため、照明できる範囲も限定されてしまい、デザインの自由度も小さくなってしまうという問題があった。
【００１８】
また、メータ６では、保持部材Ｈの配設位置に対応する部分の文字盤７を、バックライト光源８、８・・・の照明光で照明することはできなかった。
【００１９】
このため、小窓部７ｄに近接させて透光表示部７ａを設けることができない、という問題があった。
【００２０】
しかも、方形の液晶表示板９を用いるため、小窓部７ｄが方形でない場合には、文字盤７と重複する液晶表示板９の面積が拡大し、透光表示部７ａを設けることができない領域も拡大してしまう、という問題があった。
【００２１】
更に、メータ６では、複数の小窓部７ｄ、７ｄ・・・を設けて複数箇所で液晶表示を行いたい場合に、その複数の小窓部７ｄ、７ｄ・・・に跨る液晶表示板９を設けると、小窓部７ｄ、７ｄ・・・の間の領域をバックライト光源８、８・・・で照明することができなかった。
【００２２】
このため、小窓部７ｄ、７ｄ・・・の間の領域に透光表示部７ａを設ける場合には、複数の液晶表示板９を設ける必要が生じ、製造コストが増大してしまう、という問題があった。
【００２３】
本発明は、このような課題を解決するためになされたものであり、液晶表示部とアナログ表示部とを備えたメータにおいて、デザインの自由度を向上させることができ、製造コストの低減を図ることのできるメータを提供することを目的とする。
【００２４】
【課題を解決するための手段】
前記課題を解決するため、請求項１に係る発明は、液晶板と偏光板とを備えた液晶表示板と、前記液晶表示板の背面側に配置されて照明光を出射するバックライト光源と、前記液晶表示板の前面側に配置され、透光表示部を備えた文字盤と、を有し、前記液晶表示板を露呈させる窓部が前記文字盤に設けられた車両用表示装置であって、前記照明光を、前記液晶表示板を透過させて前記透光表示部を照明することを特徴としている。
【００２５】
このように構成された請求項１記載のものでは、前記照明光を、前記液晶表示板を透過させて前記透光表示部を照明するため、前記透光表示部を照明するための導光部材を別途に設ける必要がない。
【００２６】
このため、部品点数を削減でき、製造コストを低減することができる。
【００２７】
更に、前記液晶表示板を前記透光表示部と重複させても、前記照明光が前記液晶表示板を透過して前記透光表示部を照明するため、前記窓部を所望の位置に配して前記液晶表示板を露呈させることができ、デザインの自由度が向上する。
【００２８】
また、請求項２に記載された発明は、前記液晶表示板から前記透光表示部と重複する前記偏光板を切り欠いたことを特徴としている。
【００２９】
このように構成された請求項２記載のものでは、前記透光表示部と重複する前記偏光板を前記液晶表示板から切り欠いたため、バックライト光源として前記偏光板を透過しない照明光を出射するものを用いても、前記照明光を、前記液晶表示板を透過させて前記透光表示部を照明することができる。
【００３０】
このため、前記バックライト光源の数量を増加する、或いは出射光量の大きなバックライト光源を採用する必要がなく、製造コストの低減を図ることができる。
【００３１】
また、請求項３に記載された発明は、前記液晶表示板は、前記透光表示部の背面の全体を覆うことを特徴としている。
【００３２】
このように構成された請求項３記載のものでは、前記液晶表示板が前記透光表示部の背面の全体を覆い、該液晶表示板の外周縁に設けられる液晶保持部材と前記透光表示部とが重複しない。
【００３３】
このため、前記透光表示部を、前記窓部に近接させて配置しても前記液晶保持部材が前記バックライト光源からの照明光を遮ることがない。
【００３４】
従って、前記透光表示部と前記窓部と所望の位置に配することができ、デザインの自由度が向上する。
【００３５】
しかも、前記液晶表示板が、前記透光表示部の背面の全体を覆っているため、前記窓部を複数設けても、一の前記液晶表示板だけで前記複数の窓部から液晶表示が可能となるため、部品点数を削減することができ、製造コストを低減することができる。
【００３６】
また、請求項４に記載された発明は、前記液晶表示板の周縁は、前記透光表示部と重複する重複縁部を有し、前記周縁に設けられて前記液晶表示板を位置決め保持する液晶保持部材のうち、前記重複縁部に対応する重複縁対応部を切り欠いたことを特徴としている。
【００３７】
このように構成された請求項４記載のものでは、前記透光表示部を、前記液晶表示板の周縁を跨るように延設して該透光表示部と該周縁とを重複させても、前記重複縁部に対応する前記重複縁対応部が切り欠かれているため、前記液晶保持部材が、前記透光表示部への前記照明光を遮らない。
【００３８】
従って、必要な部位のみに前記液晶表示板を設けて該透光表示部と該周縁とを重複させても前記液晶保持部材が前記透光表示部への照明の妨げとならず、面積の小さな前記液晶表示板を採用することができ、製造コストの低減を図ることができる。
【００３９】
また、請求項５に記載された発明は、前記液晶表示板の周縁は、前記透光表示部と重複する重複縁部を有し、前記周縁に設けられて前記液晶表示板を位置決め保持する液晶保持部材のうち、前記重複縁部に対応する重複縁対応部を透光部材としたことを特徴としている。
【００４０】
このように構成された請求項５記載のものでは、前記透光表示部を、前記液晶表示板の周縁を跨るように延設して該透光表示部と該周縁とを重複させても、前記重複縁部に対応する前記重複縁対応部が透光部材で構成されているため、前記液晶保持部材が、前記透光表示部への前記照明光を遮らない。
【００４１】
従って、必要な部位のみに前記液晶表示板を設けて該透光表示部と該周縁とを重複させても前記液晶保持部材が前記透光表示部への照明の妨げとならず、面積の小さな前記液晶表示板を採用することができ、製造コストの低減を図ることができる。
【００４２】
【発明の実施の形態１】
本発明の実施の形態１を図を参照して説明する。
【００４３】
図１に示すように、本実施形態１のメータ（車両用表示装置）１０は、液晶板１２と偏光板１３、１４とを備えた液晶表示板１１と、液晶表示板１１の背面側に配置されたバックライト光源としてのＬＥＤ１５、１５・・・と、液晶表示板１１の前面側に配置された文字盤１６と、を有している。
【００４４】
文字盤１６は、図２に示すように、上方が円弧状に形成されたＤ字形状を有する薄板となっている。
【００４５】
更に、文字盤１６は、光の通過を許容する印刷により形成された透光表示部１６ａを有している。
【００４６】
本実施形態１では、透光表示部１６ａは、赤色、橙色、緑色等の有色印刷により形成されている。
【００４７】
更に、透光表示部１６ａは、目盛り部１６ｂと文字部１６ｃとを備えており、この目盛り部１６ｂは、文字盤１６の左下部分から右側中央部分にかけて、文字盤１６に環状に設けられている。
【００４８】
そして、文字部１６ｃは、目盛り部１６ｂの下端部分に数字「０」を配して零点とし、この目盛り部１６ｂに沿って時計回りに数字「１４」まで数値を増加させて、アナログ表示の指標を構成している。
【００４９】
また、文字盤１６には、この目盛り部１６ｂが形成する環の中心部に軸穴１６ｄが設けられている。
【００５０】
そして、ムーブメント（図示せず）に駆動される指針軸１７ａが、この軸穴１６ｄから前面側に突設されており、この指針軸１７ａに指針１７が取り付けられている。
【００５１】
更に、文字盤１６には、液晶表示板１１を露呈させる二つの（複数の）開口により形成された窓部としての第一窓部１６ｅと第二窓部１６ｆとが設けられている。
【００５２】
第一窓部１６ｅは、軸穴１６ｄの上方に設けられた台形形状の開口から形成され、下辺が上辺より右側に突出して文字部１６ｃの右側端の数字「１３」近傍まで延設されている。
【００５３】
一方、第二窓部１６ｆは、軸穴１６ｄの下方に設けられた方形開口から形成され、文字部１６ｃの数字「０」近傍に右下角部を位置させている。
【００５４】
また、液晶板１２は、対向する二枚のガラス板等の透明板と、この二枚の透明板の内面側に挟み込まれた酸化スズ膜、ＩＴＯ（インジウム−スズ酸化物）膜等の二枚の透明電極と、この二枚の透明電極に挟み込まれた液晶層と、から形成されており、略無色透明となっている。
【００５５】
更に、液晶板１２は、軸穴１２ａを有しており、この軸穴１２ａが液晶板１２の略中央に設けられて、前面視で文字盤１６の軸穴１６ｄに重複するようになっている。
【００５６】
そして、液晶板１２は、この軸穴１２ａの上方に設けられた第一液晶表示部１２ｂと、軸穴１２ａの下方に設けられた第二液晶表示部１２ｃと、を有している。
【００５７】
この第一液晶表示部１２ｂは、第一窓部１６ｅに対応する位置に配設されており、第一窓部１６ｅから前面側に露呈されるようになっている。
【００５８】
また、第二液晶表示部１２ｃは、下第二窓部１６ｆに対応する位置に配設されており、第二窓部１６ｆから前面側に露呈されるようになっている。
【００５９】
一方、偏光板１３、１４は、それぞれ軸穴１２ａと重複する位置に軸穴１３ａ、１４ａを有している。
【００６０】
そして、この偏光板１３、１４の間に、液晶板１２が狭持されて液晶表示板１１を構成し、この液晶表示板１１が透光表示部１６ａの背面の全体を覆っている。
【００６１】
液晶表示板１１は、制御電圧が印加されていない状態では一定量の光の透過を許容し、半透明状態を保持するようになっている。
【００６２】
さらに、液晶表示板１１は、第一液晶表示部１２ｂ、１２ｃを有し、前記透明電極によって所定の制御電圧が印加されると遮光して、黒色表示されるようになっている。
【００６３】
また、本実施形態のメータ１０では、出射した照明光を、液晶表示板１１を透過させて透光表示部を照明できる６つの（複数の）ＬＥＤ１５、１５・・・が設けられている。
【００６４】
そして、ＬＥＤ１５、１５・・・と液晶表示板１１との間に前記照明光を均一にするための拡散板１８が設けられており、ＬＥＤ１５、１５・・・の出射した照明光がこの拡散板１８を介して前面側に照射されるようになっている。
【００６５】
次に、このような構成を有する本実施形態のメータ１０の作用について説明する。
【００６６】
メータ１０では、バックライト光源として、出射した照明光を、液晶表示板１１を透過させて透光表示部を照明できる６つのＬＥＤ１５、１５・・・が設けられている。
【００６７】
このような構成を有するメータ１０であれば、ＬＥＤ、ＬＥＤ・・・の出射した照明光を、液晶表示板１１を透過させて透光表示部１６ａを照明することができる。
【００６８】
このため、本実施形態のメータ１０では、透光表示部１６ａを照明するための導光部材を別途に設ける必要がなく、部品点数を削減でき、製造コストを低減することができる。
【００６９】
また、例えば、図２中二点鎖線で示すような比較例１のように、第一窓部１６ｅ及び第二窓部１６ｆのそれぞれに対応する位置に方形の液晶表示板Ｐ１、Ｐ２を配設すれば、第一窓部１６ｅ及び第二窓部１６ｆ近傍の透光表示部１６ａが、液晶表示板Ｐ１、Ｐ２の表示部周辺部Ｐ１ａ、Ｐ２ａと重複してしまう。
【００７０】
すなわち、比較例１のものでは、表示部周辺部Ｐ１ａが透光表示部１６ａの数字「１１」及び「１２」と重複し、表示部周辺部Ｐ２ａが透光表示部１６ａの数字「０」と重複してしまう。
【００７１】
そして、比較例１では、表示部周辺部Ｐ１ａ、Ｐ２ａと重複する透光表示部１６ａを、前記照明光で照明することができないため、透光表示部１６ａ近傍に第一窓部１６ｅ及び第二窓部１６ｆを配置することはできない。
【００７２】
特に、第一窓部１６ｅのように前記窓部を方形と異なる形状とした場合には、比較例１では表示部周辺部Ｐ１ａの面積が拡大し、透光表示部１６ａの配置可能な範囲が、より限定される。
【００７３】
更には、比較例１のものでは、液晶表示板Ｐ１、Ｐ２を保持する保持部材Ｈ１、Ｈ２が設けられ、この保持部材Ｈ１、Ｈ２と重複する位置には透光表示部１６ａを配置することができない。
【００７４】
これと比し、本実施形態のメータ１０では、ＬＥＤ、ＬＥＤ・・・の出射した照明光を、液晶表示板１１を透過させて透光表示部１６ａを照明するため、所望の形状の第一窓部１６ｅ及び第二窓部１６ｆを透光表示部１６ａに近接させて配置することができ、デザインの自由度が向上する。
【００７５】
そして、メータ１０は、液晶表示板１１が文字盤１６の背面の全体を覆っているため、一枚の液晶表示板１１だけで複数の第一窓部１６ｅ、第二窓部１６ｆを設けることができ、部品点数を削減して製造コストを低減することができる。
【００７６】
また、一枚の液晶表示板１１であれば、一の制御ドライバで液晶表示部１２ｂ、１２ｃの制御ができ、更に、製造コストを低減することができる。
【００７７】
（変形例）
図３、図４は、この発明の実施の形態１の変形例を示すものである。
【００７８】
なお、前記実施の形態１と同一ないし均等な部分については、同一符号を付して説明する。
【００７９】
図３に示したように、本変形例のメータ１１０では、バックライト光源として三つの（複数の）ＬＥＤ１１５、１１５・・・が設けられている。
【００８０】
そして、メータ１１０は、透光表示部１６ａと重複する偏光板１３、１４が切り欠かれている。
【００８１】
すなわち、図４に示したように、前面視で、透光表示部１６ａと重複する位置を少なくとも含んだ切欠１３ｂ、１４ｂが形成されている。
【００８２】
この切欠１３ｂ、１４ｂは、同一の帯形状を呈し、偏光板１３、１４の左下部分から右側中央部分にかけて、偏光板１３、１４に環状に形成されている。
【００８３】
このように、透光表示部１６ａと重複する位置の偏光板１３、１４を少なくとも含んで切り欠くことにより、ＬＥＤ１１５、１１５・・・の出射する照明光を、液晶表示板１１を透過させても、透光表示部１６ａを照明することができる。
【００８４】
しかも、透光表示部１６ａと重複する位置の偏光板１３、１４を切り欠いたため透過する光の減衰量が微少となり、出射光量が少ない（輝度の小さい）ＬＥＤ１１５、１１５・・・を用いても、透光表示部１６ａを照明することができる。
【００８５】
従って、本変形例のメータ１１０では、ＬＥＤ１１５、１１５の数量を削減すること、又は、出射光量の少ないＬＥＤ１１５、１１５・・・を採用することができるため、製造コストの低減を図ることができる。
【００８６】
また、偏光板１３、１４を透過した照明光は薄緑色を呈するが、本変形例のメータ１１０では、偏光板１３、１４を介在させずに透光表示部１６ａを照明するため、透光表示部１６ａを白色の照明光で照明することができる。
【００８７】
このため、透光表示部１６ａを白色表示することができ、デザインの自由度が更に向上する。
【００８８】
他の構成、および作用効果については、前記実施の形態と同一ないし均等であるので説明を省略する。
【００８９】
【発明の実施の形態２】
図５ないし図８は本発明の実施の形態２を示すものである。
【００９０】
図５に示したように、本実施形態２の車両用表示装置としてのメータ２１０は、前面開口部１９ａを有するフロントカバー１９と、フロントカバー１９の背面側を覆いメータ２１０のハウジングを形成するエンドカバー２０と、液晶板１１２と偏光板１１３、１１４とを備えた液晶表示板１１１と、液晶表示板１１１の背面側に配設された導光部材２１と、導光部材２１の背面側に配設された基板２２と、液晶表示板１１１の前面側に配置された文字盤１１６と、を有している。
【００９１】
また、メータ２１０は、液晶保持部材２３を有しており、液晶保持部材２３は、フレーム２４と、フレーム２４と液晶表示板１１１との間に介在する弾性を備えたパッキン２５と、を有している。
【００９２】
文字盤１１６は、図６に示すように、前面視で概略三角形状を呈し、更に、文字盤１１６は、光の通過を許容する印刷により形成された透光表示部１１６ａを有している。
【００９３】
この透光表示部１１６ａは、目盛り部１１６ｂと文字部１１６ｃとを備えており、この目盛り部１１６ｂは、文字盤１１６の下部中央近傍から右側中央部分にかけて、文字盤１１６に環状に設けられている。
【００９４】
そして、文字部１１６ｃは、目盛り部１１６ｂの下端部分に数字「０」を配して零点とし、この目盛り部１１６ｂに沿って時計回りに数字「１４」まで数値を増加させており、アナログ表示の指標を構成している。
【００９５】
また、文字盤１１６には、この目盛り部１１６ｂが形成する環の中心部に設けられた軸穴１１６ｄを有している。
【００９６】
そして、基板２２の背面側に設けられたムーブメント１７ｂに駆動される指針軸１７ａが、この軸穴１１６ｄから前面側に向けて突設されている。
【００９７】
更に、この指針軸１７ａには、指針１７が取り付けられており、指針１７が文字盤１１６の前面側を回動してアナログ表示ができるようになっている。
【００９８】
また、文字盤１１６には、液晶表示板１１１を露呈させる二つの（複数の）開口により形成された窓部としての第一窓部１１６ｅと第二窓部１１６ｆとが設けられている。
【００９９】
第一窓部１１６ｅ及び第二窓部１１６ｆは、文字盤１１６の下辺に沿うように帯状に設けられており、この第一窓部１１６ｅと第二窓部１１６ｆとの間に、架橋部１１６ｇが設けられている。
【０１００】
更に、この架橋部１１６ｇ上には、透光表示部１１６ａの延設部１１６ｈが配設されている。
【０１０１】
すなわち、延設部１１６ｈは、図６中、右下方向へ延設されており、この延設部１１６ｈの周囲に帯状の架橋部１１６ｇが形成されて、第一窓部１１６ｅ及び第二窓部１１６ｆに鋭角部１１６ｉ、１１６ｉ・・・を形成している。
【０１０２】
また、液晶板１１２は帯状を呈し、その左側領域に設けられた第一液晶表示部１１２ｂと、略中央から右側領域に設けられた第二液晶表示部１１２ｃと、を有している。
【０１０３】
そして、図７、図８に示すように、偏光板１１３、１１４の間に、液晶板１１２が狭持されて液晶表示板１１１を構成し、液晶表示板１１１が第一窓部１１６ｅと第二窓部１１６ｆとに跨るように背面側から組み付けられている。
【０１０４】
この組み付け状態で、第一液晶表示部１１２ｂは第一窓部１１６ｅに対応する位置に配設されており、メータ２１０は、第一液晶表示部１１２ｂを第一窓部１１６ｅから前面側に露呈させて液晶表示ができるようになっている。
【０１０５】
また、第一液晶表示部１１２ｂと同様に、第二液晶表示部１１２ｃは第二窓部１１６ｆに対応する位置に配設されており、メータ２１０は、第二液晶表示部１１２ｃを第二窓部１１６ｆから前面側に露呈させて液晶表示ができるようになっている。
【０１０６】
そして、この液晶表示板１１１の周縁１１１ａには、前面視で透光表示部１１６ａと重複する重複縁部１１１ｂ、１１１ｂが形成されている。
【０１０７】
また、メータ２１０では、透光表示部１６ａに対応する偏光板１１３、１１４、すなわち、前面視で透光表示部１６ａと重複する部分を少なくとも含む偏光板１１３、１１４が切り欠かれており、偏光板１１３、１１４に切欠１１３ｂ、１１４ｂが形成されている。
【０１０８】
この切欠１１３ｂ、１１４ｂは、架橋部１１６ｇに沿い、右下方向へ延びた帯形状を呈している。
【０１０９】
また、図５に示したように、ＬＥＤ１１５、１１５・・・は、基板２２上に設けられており、更にＬＥＤ１１５、１１５・・・は、導光部材２１に設けられた複数の出射用小孔から前面に向けて照明光の出射ができるようになっている。
【０１１０】
そして、ＬＥＤ１１５、１１５・・・と液晶表示板１１１との間には、前記照明光を均一にするための第一拡散板１１８と、支持板１１８ａを介して第一拡散板１１８の背面側に配置された第二拡散板２１８と、が設けられている。
【０１１１】
更に、液晶保持部材２３は、液晶表示板１１１の周縁１１１ａに設けられており、フレーム２４の係止片２４ａ、２４ａ・・・が基板２２に係止されて、液晶保持部材２３が液晶表示板１１１を位置決め保持するようになっている。
【０１１２】
また、液晶保持部材２３は、重複縁部１１１ｂに対応する重複縁対応部２３ａが切り欠かれている。
【０１１３】
すなわち、図７、図８に示したように、重複縁対応部２３ａは、前面視で、透光表示部１１６ａの延設部１１６ｇと重複する位置を少なくとも含むフレーム切欠部２４ｂ及びパッキン切欠部２５ａから構成されている。
【０１１４】
フレーム切欠部２４ｂは、フレーム２４に形成されており、このフレーム切欠部２４ｂの両端からはフレーム中間補強部２４ｃ、２４ｃが右下方向に延設している。
【０１１５】
また、パッキン切欠部２５ａは、パッキン２５に形成されており、このパッキン切欠部２５ａの両端からはフレーム中間補強部２４ｃ、２４ｃと同一形状のパッキン中間補強部２５ｂ、２５ｂが、右下方向に延設している。
【０１１６】
このように構成されたメータ２１０では、図８に示したように、前面視で液晶保持部材２３のフレーム切欠部２４ｂ及びパッキン切欠部２５ａと、液晶表示板１１１の切欠１１３ｂ、１１４ｂとが略重複する構成になっている。
【０１１７】
次に、メータ２１０の作用について説明する。
【０１１８】
本実施形態２のメータ２１０では、透光表示部１１６ａの延設部１１６ｈと重複する位置の偏光板１１３、１１４を切り欠いたため、ＬＥＤ１１５、１１５・・・の出射する照明光を、液晶表示板１１１を透過させて、延設部１１６ｈを照明することができる。
【０１１９】
しかも、延設部１１６ｈに対応する位置の偏光板１１３、１１４を切り欠いて前記照明光を透過させるため、前記液晶表示板を透過しても減衰量が少なく、ＬＥＤ１１５、１１５・・・の出射する照明光量が少ないものであっても、透光表示部１６ａを照明することができる。
【０１２０】
このため、ＬＥＤ１１５、１１５の数量を削減すること、又は、照明光量の少ない（輝度の小さい）ＬＥＤ１１５、１１５・・・を採用することができるため、製造コストの低減を図ることができる。
【０１２１】
そして、偏光板１１３、１１４を透過させた照明光は薄緑色を呈するが、メータ２１０では、偏光板１１３、１１４を介さずに延設部１１６ｈを照明するため、延設部１１６ｈを白色の照明光で照明することができる。
【０１２２】
このため、延設部１１６ｈを白色表示することができ、デザインの自由度が向上する。
【０１２３】
更に、メータ２１０では、液晶表示板１１１が、窓部１１６ｅ、１１６ｆの背面側に跨って設けられて、周縁１１１ａを透光表示部１１６ａの延設部１１６ｈと重複させているが、この周縁１１１ａに設けられた液晶保持部材２３の重複縁対応部２３ａを切り欠いたため、ＬＥＤ１１５、１１５・・・の出射した照明光が液晶保持部材２３に遮られることはなく、前記照明光で透光表示部１１６ａの延設部１１６ｈを照明することができる。
【０１２４】
このように、本実施形態２のメータ２１０であれば、液晶表示板１１１の周縁１１１ａを透光表示部１１６ａに重複させることができるため、面積の小さい液晶表示板１１１を採用することができ、製造コストの低減を図ることができる。
【０１２５】
更に、メータ２１０であれば、窓部１１６ｅ、１１６ｆを所望の形状として、透光表示部１１６ａに近接させることができる。
【０１２６】
すなわち、例えば、図９において二点鎖線で示すような比較例２のように、窓部１１６ｅ、１１６ｆに対応して方形の液晶表示板Ｐ３、Ｐ４を設けると、液晶表示板Ｐ３、Ｐ４が延設部１１６ｈと重複してしまうため、窓部１１６ｅ、１１６ｆに近接させて透光表示部１１６ａを設けることはできない。
【０１２７】
そして、前記比較例２では、液晶表示板Ｐ３、Ｐ４を位置決め保持する液晶保持部材Ｈ３、Ｈ４が液晶表示板Ｐ３、Ｐ４の周縁に設けられて前記照明光を遮るため、更に窓部１１６ｅ、１１６ｆから離間して透光表示部１１６ａを配置する必要がある。
【０１２８】
しかも、前記比較例２において、透光表示部１１６ａを窓部１１６ｅ、１１６ｆに近接させるために液晶表示板Ｐ３、Ｐ４の周縁を内方に凹むように切断することは困難であり、鋭角部１１６ｉを有する窓部の形状に合わせて液晶表示板Ｐ３、Ｐ４を作ることは困難である。
【０１２９】
このため、比較例２のように窓部に対応させて液晶表示板Ｐ３、Ｐ４を設ける構成とすると、方形と異なる形状の窓部１１６ｅ、１１６ｆ周辺には透光表示部１１６ａを配設できず、デザインの自由度が低くなってしまう。
【０１３０】
また、例えば、図９において一点鎖線で示すような比較例３のように、液晶保持部材Ｈ５、Ｈ６を、延設表示部１１６ｈと離間させて設けると、窓部１１６ｅと窓部１１６ｆとを離間させなければならない。
【０１３１】
しかしながら、本実施形態２のメータ２１０であれば、透光表示部１１６ａの延設部１１６ｈに重複する偏光板１１３、１１４を切り欠いて前記照明光を透過させると共に、周縁１１１ａ設けられて液晶表示板１１１を位置決め保持する液晶保持部材２３のうち、透光表示部１１６ａの延設部１１６ｈと重複する重複縁部１１１ｂに対応する重複縁対応部２３ａを切り欠いたため、前記照明光で延設部１１６ｈを照明することができる。
【０１３２】
このため、本実施形態２のメータ２１０によれば、所望形状の窓部１１６ｅ、１１６ｆに、透光表示部１１６ａを近接させて配置することができ、デザインの自由度を向上させることができる。
【０１３３】
（変形例）
図１０は前記実施の形態２の変形例を示したものである。
【０１３４】
なお、前記実施の形態２と同一ないし均等な部分については、同一符号を付して説明する。
【０１３５】
図１０に示したように、本変形例では、液晶保持部材２３の重複縁部１１１ｂに対応する、すなわち、少なくとも重複縁部１１１ｂと重複する重複縁対応部１２３ａが透光部材１２５ａ、１２４ｂで構成されている。
【０１３６】
この透光部材１２３ａは、フレーム２４の重複縁部１１１ｂに対応する位置に設けられたフレーム透光部１２４ｂと、パッキン２５の重複縁部１１１ｂに対応する位置に設けられたパッキン透光部１２５ａと、を有している。
【０１３７】
また、透光部材１２３ａは、無色透明な素材からできており、前記照明光の透過が可能となっている。
【０１３８】
このように、液晶保持部材２３の重複縁対応部１２３ａを透光部材１２５ａ、１２４ｂで構成しても、前記照明光を、前記重複縁対応部１２３ａを透過させて、前記透光表示部１１６ａの延設部１１６ｈを照明することができる。
【０１３９】
従って、本変形例のメータ２１０であっても液晶表示板１１１の周縁１１１ａを透光表示部１１６ａに重複させることができ、所望形状の窓部１１６ｅ、１１６ｆに、透光表示部１１６ａを近接させて配置することができ、デザインの自由度が向上する。
【０１４０】
そして、窓部１１６ｅ、１１６ｆから液晶表示部１１２ｂ、１１２ｃを露呈させるため、少なくとも窓部１１６ｅ、１１６ｆに跨る一枚の液晶表示板１１１のみを用いればよく、面積の小さい液晶表示板１１１を採用することができ、製造コストの低減を図ることができる。
【０１４１】
更に、本変形例では、液晶保持部材２３の重複縁対応部１２３ａを、透光部材１２５ａ、１２４ｂで構成したため、前記照明光を、重複縁対応部１２３ａを透過させるようにしても、液晶保持部材２３の剛性を低下させることがない。
【０１４２】
しかも、液晶表示板１１１の重複周縁部１１１ｂを、透光部材１２５ａ、１２４ｂで付勢することでき、液晶表示板１１１の位置決め保持を確実に行うことができる。
【０１４３】
他の構成、および作用効果については、前記実施の形態２と同一ないし均等であるので説明を省略する。
【０１４４】
【発明の効果】
以上説明したように、請求項１記載の車両用表示装置によれば、前記照明光を、前記液晶表示板を透過させて前記透光表示部を照明するため、前記透光表示部を照明するための導光部材を別途に設ける必要がなく、また、複数の前記窓部と同数の前記液晶表示板を設ける必要がない。
【０１４５】
このため、部品点数を削減でき、製造コストを低減することができる。
【０１４６】
更に、前記液晶表示板を前記透光表示部と重複させても、前記照明光が前記液晶表示板を透過して前記透光表示部を照明するため、前記窓部を、前記透光表示部に近接する所望の位置に配することができ、デザインの自由度が向上する。
【０１４７】
また、請求項２に記載された車両用表示装置によれば、前記透光表示部と重複する前記偏光板を前記液晶表示板から切り欠いたため、バックライト光源として前記偏光板を透過しない照明光を出射するものを用いても、前記照明光を、前記液晶表示板を透過させて前記透光表示部を照明することができる。
【０１４８】
このため、前記バックライト光源の数量を増加する、或いは出射光量の大きなバックライト光源を採用する必要がなく、製造コストの低減を図ることができる。
【０１４９】
また、請求項３に記載された車両用表示装置によれば、前記液晶表示板が、前記透光表示部の背面の全体を覆って該液晶表示板の外周縁に設けられる液晶保持部材と前記透光表示部とが重複しない。
【０１５０】
このため、前記透光表示部を、前記窓部に近接させて配置しても前記液晶保持部材が前記バックライト光源からの照明光を遮ることがない。
【０１５１】
従って、前記透光表示部と前記窓部とを所望の位置に配することができ、デザインの自由度が向上する。
【０１５２】
しかも、前記液晶表示板が、前記透光表示部の背面の全体を覆っているため、前記窓部を複数設けても、一枚の前記液晶表示板だけで前記複数の窓部から液晶表示が可能となるため、部品点数を削減することができ、製造コストの低減を図ることができる。
【０１５３】
また、請求項４に記載された車両用表示装置によれば、前記重複縁部に対応する前記重複縁対応部が切り欠かれているため、前記透光表示部を、前記液晶表示板の周縁を跨るように延設して該透光表示部と該周縁とを重複させても、前記液晶保持部材が、前記透光表示部への前記照明光を遮らない。
【０１５４】
従って、必要な部位のみに前記液晶表示板を設けて該透光表示部と該周縁とを重複させても前記液晶保持部材は前記透光表示部への照明を妨げず、前記液晶表示板の面積を小さく抑えることができ、製造コストの低減を図ることができる。
【０１５５】
しかも、前記液晶保持部材が切欠を有し、前記透光表示部への前記照明光を遮らないため、所望形状の前記窓部に、前記透光表示部を近接させて配置することができ、デザインの自由度が向上する。
【０１５６】
また、請求項５に記載された車両用表示装置によれば、前記重複縁部に対応する前記重複縁対応部が透光部材で構成されているため、前記透光表示部を、前記液晶表示板の周縁を跨るように延設して該透光表示部と該周縁とを重複させても、前記液晶保持部材が、前記透光表示部への前記照明光を遮らない。
【０１５７】
従って、必要な部位のみに前記液晶表示板を設けて該透光表示部と該周縁とが重複しても、前記液晶保持部材は前記透光表示部への照明を妨げず、前記液晶表示板の面積を小さく抑えることができ、製造コストの低減を図ることができる。
【０１５８】
しかも、前記重複縁対応部が透明部材で構成され、前記透光表示部への前記照明光を遮らないため、所望形状の前記窓部に前記透光表示部を近接させて配置することができ、デザインの自由度が向上する。
【図面の簡単な説明】
【図１】本発明の実施形態１に係る車両用表示装置の分解斜視図である。
【図２】本発明の実施形態１に係る車両用表示装置の正面図である。
【図３】本発明の実施形態１の変形例に係る車両用表示装置の分解斜視図である。
【図４】本発明の実施形態１の変形例に係る車両用表示装置の正面図である。
【図５】本発明の実施形態２に係る車両用表示装置の分解斜視図である。
【図６】本発明の実施形態２に係る車両用表示装置の正面図である。
【図７】本発明の実施形態２に係る車両用表示装置の部分斜視図である。
【図８】本発明の実施形態２に係る車両用表示装置の正面拡大図である。
【図９】比較例に係る車両用表示装置の正面拡大図である。
【図１０】本発明の実施形態２の変形例に係る車両用表示装置の部分斜視図である。
【図１１】従来の車両用表示装置の正面図（ａ）、及び、図（ａ）におけるＳＡ−ＳＡ線に沿った断面図（ｂ）である。
【図１２】従来の他の車両用表示装置の正面図である。
【符号の説明】
１０、１１０、２１０  メータ（車両用表示装置）
１１、１１１  液晶表示板
１１１ａ  周縁
１１１ｂ  重複縁部
１２  液晶板
１３、１４  偏光板
１５、１１５  ＬＥＤ（バックライト光源）
１６、１１６  文字盤
１６ａ  透光表示部
１６ｅ、１６ｆ、１１６ｅ、１１６ｆ  窓部
２３、１２３  液晶保持部材
２３ａ、１２３ａ  重複縁対応部
１２４ｂ、１２５ａ  透光部材
【図１】
2004226111.tif 000003
【図２】
2004226111.tif 000004
【図３】
2004226111.tif 000005
【図４】
2004226111.tif 000006
【図５】
2004226111.tif 000007
【図６】
2004226111.tif 000008
【図７】
2004226111.tif 000009
【図８】
2004226111.tif 000010
【図９】
2004226111.tif 000011
【図１０】
2004226111.tif 000012
【図１１】
2004226111.tif 000013
【図１２】
2004226111.tif 000014